(57)【要約】【課題】  建物の昇降場で荷物等の搬出又は搬送作業中に、乗りかごが落下したり誤作動により昇降したりすることによる死傷事故を防止するとともに、乗りかごが落下したり誤作動により昇降したりしても、作業者の安全を確保できることを作業者が視認できる昇降搬送機を提供することを目的とする。【解決手段】  昇降路Ａ内を上下に移動する乗りかご１と、乗りかご１の開閉を行う扉２と、乗りかご１の開口端部１１から１０〜５０ｃｍ内側に設けられ、扉２の一端を軸支する回動軸３を備え、扉２が開いたときに、扉２の一部が乗りかご１を越えて建物の乗降場Ｆまでせり出すことを特徴とする昇降搬送機Ｅにより解決することができた。【選択図】図３
2016216149.tif 000002
【特許請求の範囲】
【請求項１】
昇降路内を上下に移動する乗りかごと、
前記乗りかごの開閉を行う扉と、
前記乗りかごの開口端部から１０〜５０ｃｍ内側に設けられ、前記扉の一端を軸支する回動軸を備え、
前記扉が開いたときに、前記扉の一部が前記乗りかごを越えて建物の乗降場までせり出すことを特徴とする昇降搬送機。
【請求項２】
前記扉が、前記乗降場の上下方向の高さの８０〜９９％の高さを有することを特徴とする請求項１に記載の昇降搬送機。
【請求項３】
前記扉及び前記回動軸が、前記乗りかごの開口部の左右に一対設けられていることを特徴とする請求項１又は請求項２に記載の昇降搬送機。
【請求項４】
前記扉の下部に、前記乗りかごの床面又は前記乗降場の床と係止する係止部を備えることを特徴とする請求項１から請求項３のいずれかに記載の昇降搬送機。
【発明の詳細な説明】
【技術分野】
【０００１】
本発明は、乗りかごに積載した荷物や動物などを鉛直方向に搬送する昇降搬送機において、建物の昇降場で荷物等の搬出又は搬送作業中に、乗りかごが落下したり誤作動により昇降したりすることによる死傷事故を防止する昇降搬送機に関する。
【背景技術】
【０００２】
従来、荷物や動物などを搬送する昇降搬送機にあっては、乗りかごに設けられる開閉扉が開いた状態にあるとき、乗りかごが上下に移動すると、建物の昇降場と乗りかごの間に挟まれて荷物等の搬出又は搬入をしている作業者が嵌れて死傷する事故が発生するため、制御装置により巻き上げ機にブレーキがかかるなどの安全対策が施されている。
【０００３】
また、乗りかごが停止して開閉扉が開いた状態にあるときのみ、意図しない乗りかごの降下が生じても種々の装置が干渉して物理的に乗りかごの降下を防ぐ装置が知られている。例えば、特許文献１には、乗りかごの通常の停止、戸開状態では、ソレノイドを消磁してアクチュエータを不動作として、突出レバーを動作板と互いに干渉する突出位置に移動させることにより、定支持及び戸開状態では、突出レバーと動作板が互いに平面的にオーバーラップし、乗りかごが無制限に落下した場合、一定量降下するまで動作板が突出レバーを押し上げ、引き上げ棒を介して非常止め動作レバーを引き上げ、非常止め装置を動作させる装置が開示されている。
【先行技術文献】
【特許文献】
【０００４】
【特許文献１】特開２００８−１９０６４号
【発明の概要】
【発明が解決しようとする課題】
【０００５】
しかしながら、特許文献１に記載の降下防止装置は、乗りかごが降下するときには効果的に作動するとしても、誤作動により乗りかごを上昇させたときには、乗りかごの上昇を止めることはできなかった。
【０００６】
また、特許文献１に記載の降下防止装置は、そもそも乗りかごの上面や下面など昇降路内に位置しており、荷物等の搬出又は搬入をしている作業者が視認することは難しく、乗りかごが落下するかもしれないと不安を抱く作業者が作業に集中できないおそれがあった。
【０００７】
そこで、本発明では、建物の昇降場で荷物等の搬出又は搬送作業中に、乗りかごが落下したり誤作動により昇降したりすることによる死傷事故を防止するとともに、乗りかごが落下したり誤作動により昇降したりしても、作業者の安全を確保できることを作業者が視認できる昇降搬送機を提供することを目的とする。
【課題を解決するための手段】
【０００８】
〔１〕すなわち、本発明の昇降搬送機は、昇降路内を上下に移動する乗りかごと、前記乗りかごの開閉を行う扉と、前記乗りかごの開口端部から１０〜５０ｃｍ内側に設けられ、前記扉の一端を軸支する回動軸を備え、前記扉が開いたときに、前記扉の一部が前記乗りかごを越えて建物の乗降場までせり出すことを特徴とする昇降搬送機である。
【０００９】
〔２〕そして、前記扉が、前記乗降場の上下方向の高さの８０〜９９％の高さを有することを特徴とする前記〔１〕に記載の昇降搬送機である。
【００１０】
〔３〕そして、前記扉及び前記回動軸が、前記乗りかごの開口部の左右に一対設けられていることを特徴とする前記〔１〕又は前記〔２〕に記載の昇降搬送機である。
【００１１】
〔４〕そして、前記扉の下部に、前記乗りかごの床面又は前記乗降場の床と係止する係止部を備えることを特徴とする前記〔１〕から前記〔３〕のいずれかに記載の昇降搬送機である。
【発明の効果】
【００１２】
以上、本発明によれば、建物の昇降場で荷物等の搬出又は搬送作業中に、乗りかごが落下したり誤作動により昇降したりすることによる死傷事故を防止するとともに、仮に乗りかごが落下したり誤作動により昇降したりしても、作業者の安全を確保できることを作業者が視認することができるので、作業に集中することができる。
【図面の簡単な説明】
【００１３】
【図１】本発明の第一実施形態を示す概略正面図である。
【図２】本発明の第一実施形態を示す扉が閉まっている状態のＡ−Ａ線断面図である。
【図３】本発明の第一実施形態を示す扉が開いている状態の概略断面図である。
【図４】本発明の第一実施形態を示す扉が閉まっている状態の概略部分側面図である。
【図５】本発明の第一実施形態を示す扉が開いている状態の概略部分側面図である。
【図６】本発明の第二実施形態を示す扉が閉まっている状態の概略断面図である。
【図７】本発明の第二実施形態を示す扉が開いている状態の概略断面図である。
【発明を実施するための形態】
【００１４】
以下、本発明に係る昇降搬送機に関する実施形態について図面に基づいて詳しく説明する。図１から図５は、本発明の第一実施形態の昇降搬送機の説明図であり、図６及び図７は、本発明の第二実施形態の昇降搬送機の説明図である。なお、数値範囲を示す表現は、上限と下限を含むものである。
【００１５】
図１から図５に示すように、本発明の昇降搬送機Ｅは、少なくとも、昇降路Ａ内を上下に移動する乗りかご１と、乗りかご１の開閉を行う扉２と、乗りかご１の開口端部１１から１０〜５０ｃｍ内側に設けられ、扉２の一端を軸支する回動軸３を備えている。
【００１６】
そして、乗りかご１が、乗降場Ｆに到着して、扉２が開いたときに、扉２の一部が乗りかご１を越えて乗降場Ｆまでせり出すように構成されている。
【００１７】
乗りかご１は、建築資材、食料品などの荷物や人やペットなどの動物を収納する箱状の部材である。そして、建物側に荷物や動物を搬出する又は乗りかご１内に搬入するための開口部１２が設けられている。第一実施形態及び第二実施形態において、乗りかご１は、空洞の直方体形状であるが、他の実施形態において立方体形状、円柱形状などを使用することもできる。
【００１８】
乗りかご１の上部にワイヤーロープＷが固設されており、昇降路Ａの上部に設けられた図示しない巻き上げ機により巻き上げ機と乗りかご１との間のワイヤーロープＷの長さを調節して、昇降路Ａ内で乗りかご１を鉛直上下方向に移動させることができる。また、必要に応じて、乗りかご１と当接し、乗りかご１が水平方向に揺れることを防止して上下移動のみに動きを規制するガイドレールを昇降路Ａに設けることもできる。
【００１９】
扉２は、乗りかご１の開口部１２から荷物や動物が落下することを防止するために開口部１２を閉じ、また、乗降場Ｆで荷物や動物を搬出する又は乗りかご１内にそれらを搬入するために開口部１２を開ける部材である。そして、扉２は開くときには、回動軸３を中心に回動して、平面視において乗りかご１をはみ出すように越えて乗降場Ｆまでせり出す構成を有している。具体的には、扉２は、板状部材であり横幅が、６０〜２０００ｃｍであることが好ましい。扉２の横幅がこの範囲にあると、扉２を回動して開けたときに、乗りかご１を越えて乗降場Ｆまでせり出すことができる。扉２は、厚みが２０〜１００ｍｍであることが好ましい。扉２の厚みが、この範囲であると、図３、図５、図７などに示すように扉２が開いているときに、乗りかご１がワイヤーロープＷの破損により落下又は誤作動により昇降したとしても、扉２が乗降場Ｆの床又は天井に干渉して乗りかご１の移動を物理的に抑制することができる強度を確保することができ、さらに、扉２の重量が重くなり過ぎないために乗りかご１の上下動に必要な電力等のエネルギーも抑えることができる。また、扉２の素材としては、上記の扉２の厚みと同じく、乗りかご１がワイヤーロープＷの破損により落下又は誤作動により昇降したとしても、扉２が乗降場Ｆの床又は天井に干渉して乗りかご１の移動を物理的に抑制することができる強度を確保することができるため曲げやねじれなどの力学的な変性に強い金属等であることが好ましい。
【００２０】
そして、扉２は、建物の乗降場Ｆの床から天井までの上下方向の高さの８０〜９９％の高さを有していることが好ましく、８５〜９５％の高さを有していることが好ましい。扉２の高さがこの範囲にあると、扉２が開いているときに、乗りかご１がワイヤーロープＷの破損により落下又は誤作動により昇降したとしても、扉２が乗降場Ｆの床又は天井に干渉して乗りかご１の移動を物理的に抑制し、乗りかご１の開口部１２と乗降場Ｆとの上下方向の空間を確保することができるため、乗降場Ｆと乗りかご１を跨いで荷物等の搬入又は搬出しているときにおいても乗りかご１と乗降場Ｆに挟まれて死傷することを防ぎ、また、乗りかご１に積載している荷物や乗っている人やペットなどの動物を救出しやすくなる。
【００２１】
また、扉２において回動軸３と軸支されている一端とは横幅方向における反対側の他端側の下部には、係止部２１が設けられている。図２、図３、図５〜図７に示すように、第一実施形態及び第二実施形態において、係止部２１は、手動又は自動により、上下に動くことができる棒状の部材であり、扉２が閉まっているときには係止部２１が乗りかご１の床に接触しないように、係止部２１を上げておき、扉２が開いているときには係止部２１が乗降場Ｆの所定箇所の窪み等に嵌挿するように係止部２１を下げておく。具体的に、係止部２１は、第一実施形態において、乗降場Ｆの嵌合穴６と係止し、第二実施形態において乗りかご１の床面に設けられた嵌合穴６と係止することができる。係止部２１を設けることにより、扉２が開いているときに係止部２１が乗降場Ｆ等の所定箇所の窪み等に嵌挿していれば、荷物等の搬入又は搬出しているときに、風や揺れなどによって扉２が閉まることがなく、乗りかご１がワイヤーロープＷの破損により落下又は誤作動により昇降したとしても、扉２が乗降場Ｆの床又は天井に干渉して乗りかご１の移動を確実に抑えることができる。
【００２２】
回動軸３は、扉２が開閉可能なように扉２の一端を軸支する部材であり、乗りかご１の開口端部１１から１０〜５０ｃｍ、より好ましくは２０〜４０ｃｍ内側に設けられている。回動軸３の位置がこのように開口端部１１より少し奥まった位置にあると、扉２が開口端部１１より１０〜５０ｃｍほど内側に後退するために乗りかご１に積載することができる荷物等の大きさや数量が制限されてしまうが、荷物等の搬入又は搬出しているときに、乗りかご１がワイヤーロープＷの破損により落下又は誤作動により昇降したとしても回動軸３より離れた扉２の下端又は上端が乗降場Ｆの床や天井に接触するので回動軸３に接触による衝撃が伝わりにくくなるため回動軸３が破損しにくくなり、また、必要以上に乗りかご１の収納空間を削減することもない。このように回動軸３が破損しにくくなると、接触の衝撃によって扉２が外れにくくなるため、扉２そのものが閊えとなり乗りかご１の上下方向の移動を物理的に抑制することができる。
【００２３】
このように、扉２の開閉機構や扉２を軸支する回動軸３が設けられる位置などにより、乗りかご１に荷物等の搬入や搬出している作業者に起こり得る乗りかご１の不慮の移動による死傷事故を防げることができる。さらに、乗降場Ｆで扉２を回動させて乗りかご１を越えて乗降場Ｆまでせり出すように開いていると、乗りかご１に荷物等の搬入や搬出している作業者は、ワイヤーロープＷの破損により落下又は誤作動により昇降したとしても扉２が閊えとなり乗りかご１の動きが抑制されることが一目で認識できるので、目に見えない位置に安全装置が取り付けられている昇降搬送機に比べれば非常に安心して作業することができる。
【００２４】
回動軸３としては、図４、図５などに示すように、回転軸３として、複数の蝶番を使用することができるし、また、他の実施形態において扉２の高さほどある長い蝶番などを使用することもできる。また、回動軸３は、乗りかご１の開口部１２の左右に設けられた柱状又は板状の支持部材４に取り付けられていても良く、支持部材４に制御パネルを取り付けて、扉２の開閉や係止部２１の操作を行うようにしても良い。
【００２５】
第一実施形態及び第二実施形態において、扉２及び回動軸３は、乗りかご１の開口部１２の左右に一対設けられて、扉２が観音開きするように構成されているが、他の実施形態において、扉２及び回動軸３が開口部１２の左右どちらか一方に設けられて扉２が開口部１２を開閉しうる一枚扉であってもよい。ただし、扉２が開いているときに、乗りかご１の不慮の移動によって、扉２が乗降場Ｆの床又は天井と接触しても扉２そのものが閊えとなるため、閊えが一箇所だけでなく複数箇所となる左右に一対設けられて観音開きとなるように設けられていることが好ましい。このように構成すると、扉２に掛かる荷重が分散されるので、扉２が破損しにくくなる。
【００２６】
また、扉２は、第二実施形態を示す図６、図７に示すように、乗降場Ｆでのせり出しを少なくするように扉２の途中にヒンジを設けて折り畳めるようにすることもできる。図７に示すように、扉２を折り畳んで開くと、乗降場Ｆに対して扉２が不必要にせり出すことがないため乗降場Ｆのスペースを有効に利用することができるとともに、扉板４枚が乗りかご１から乗降場Ｆまでせり出すような構造になるため、乗りかご１の不慮の移動が起こったときには、乗りかご１と乗降場Ｆの床又は天井とのしっかりとした閊えとなるとともに扉２に掛かる荷重が分散されるので扉２がさらに破損しにくくなる。第二次実施形態において、扉２以外の構成は、第一実施形態と同様である。
【００２７】
そして、乗降場Ｆには、各図で示すように、乗降場Ｆからの転落を防ぐ開閉式の安全ゲート５が設けられていることが好ましい。また、安全ゲート５は、乗りかご１が乗降場Ｆに到着したときにその到着を検知する図示しないセンサーを介して信号を受け取り、自動でゲートが開くことが好ましい、そして、その後に乗りかご１の扉２が自動又は手動により開く。このとき、扉２は、安全ゲート５に当接しない程度に開かれる。扉２の下部に係止部２１がある場合には、乗降場Ｆ等の所定箇所の窪み等に嵌挿するように係止部２１を自動又は手動により下げて扉２がぶつかったときの衝撃や風などにより閉まらないようにする。
【００２８】
一方、乗りかご１に荷物等の搬入又は搬出が完了して自動又は手動により扉２が閉まったときに、安全ゲート５も閉まるように制御されることが好ましい。このようにして、安全ゲート５が、乗りかご１の移動や扉２との開閉と連動することにより、乗降場Ｆからの転落や乗りかご１との接触などを防ぐことができ、より安全に作業することができる。
【符号の説明】
【００２９】
Ｅ・・・昇降搬送機
１・・・乗りかご
１１・・・開口端部
１２・・・開口部
２・・・扉
２１・・・係止部
３・・・回動軸
４・・・支持部材
５・・・安全ゲート
６・・・嵌合穴
Ｆ・・・乗降場
Ａ・・・昇降路
Ｗ・・・ワイヤーロープ
【図１】
2016216149.tif 000003
【図２】
2016216149.tif 000004
【図３】
2016216149.tif 000005
【図４】
2016216149.tif 000006
【図５】
2016216149.tif 000007
【図６】
2016216149.tif 000008
【図７】
2016216149.tif 000009